(57)【特許請求の範囲】
【請求項１】
記録する規格の画像サイズよりも大きいサイズの印刷用紙を用いるとともに、前記画像サイズ内に所望の画像形成を行い、かつ、前記画像サイズを明示する４隅にレジストレーションマークを記録して、画像形成する光走査装置であって、
複数のレーザ光源からそれぞれ出射されたビームを同一の単一の偏向手段を用いて走査し、これら複数のビームの各々に対応した被走査面に結像させるレンズ群を各ビーム毎に設けた複数の走査光学系を備え、これら走査光学系を単一のハウジングに設けてなり、
前記複数の走査光学系中、１つの走査光学系である第一走査光学系について、
前記画像サイズを明示するために記録すべきレジストレーションマークの主走査方向の間隔に略等しい間隔で、走査始端側と走査終端側とにビーム位置を検出する検出器を設け、
上記レジストレーションマークの記録を行なうことなく、
上記検出器の間を走査する走査時間の、初期設定値からの変化量を検出し、
前記第一走査光学系とは異なる第二走査光学系について、
レジストレーションマークを記録可能に構成してなり、
検出された前記走査時間の初期設定値からの変化量に基づいて、レーザ光源を変調する基準周波数を変化させて、前記第二走査光学系により記録されるレジストレーションマークの間隔を補正することを特徴とする光走査装置。
【請求項２】
請求項１記載の光走査装置において、
前記複数のレーザ光源中、少なくとも１つの走査時間を検出する前記第一走査光学系に対応するレーザ光源に２つの発光源を設け、これら２つの発光源から前記偏向手段に対し主走査方向で異なる入射角度をなしてビームが出射されるように前記２つの発光源を配置するとともに、前記主走査方向で先行して走査するビームについて走査始端側のほか走査終端側でのビーム位置を検出する検出器を設け、走査時間を検出したことを特徴とする光走査装置。
【請求項３】
請求項１又は２記載の光走査装置において、
前記走査時間の検出結果と同初期設定値とを比較し、その比に応じて全てのレーザ光源の基準周波数を変更することを特徴とする光走査装置。
【請求項４】
複数の感光体に記録した各色の画像を重ね合わせてカラー画像を形成するカラー記録装置において、
請求項１乃至３の何れか１つに記載の光走査装置を具備していることを特徴とするカラー記録装置。
【発明の詳細な説明】
【０００１】
【発明の属する技術分野】
本発明はデジタル複写機、及びレーザプリンタ等の複数のレーザビームを用いて光走査を行なう光走査装置及びカラー記録装置に関する。
【０００２】
【従来の技術】
従来、特開平４−１２７１１５号公報に示すように、複数のドラム状の感光体を備え、各感光体に対して光書込みを行うための走査手段が１つの偏向器に対して対向して配備され同一ハウジング内に一体的に支持される構造が示されている。
【０００３】
また、特開平９−５８０５３号公報には、半導体レーザを変調する周波数を変えて光走査手段の倍率を補正し、ビームの倍率誤差による色ずれの解消方法が開示されている。
【０００４】
これらの公報に開示された技術は、複数の感光体に光書き込みにより記録した各色の画像を１つに重ね合わせてカラー画像を形成するカラー記録装置に適用可能であり、図６に示すように印刷用紙Ｓの搬送誤差に伴い印刷用紙Ｓの全面に画像形成するのではなく画像サイズ（例えばＡ４サイズ）に対し一定の余白を設け、画像サイズよりも大きい印刷用紙Ｓを用いて記録し、画像サイズの４角にレジストレーションマークＭ１１６、Ｍ１１７、Ｍ１１６'、Ｍ１１７'を記録することで、後に該レジストレーションマークに沿って切り落とすなどで対処するのが一般的である。
【０００５】
しかしながら、このレジストレーションマークを記録するには画像サイズ（例えばＡ４サイズ）よりも広い走査幅が必要となりポリゴンミラーや結像レンズが大型化し高速化や低コスト化に対して不利となるという問題がある。
【０００６】
一方、環境温度の変化に伴う光学系の熱膨張、収縮などの影響を受けて、レジストレーションマーク間隔が経時的にずれるため、これを補正するために走査開始位置と走査終端側とで画像記録領域の外側でビーム位置を検出するためのセンサを設けられるが、上記レジストレーションマークＭ１１６、Ｍ１１７、Ｍ１１６'、Ｍ１１７'の書き込み走査に伴い、さらに走査幅の拡張が必要となる。
【０００７】
【発明が解決しようとする課題】
そこで、請求項１及び２記載の発明は、レジストレーションマークを記録可能としつつも走査幅を最小限とし、小型かつ低コストな光走査装置を提供することを目的とする。また、請求項３及び４記載の発明は、前記レジストレーションマーク間隔の経時的なずれを補正するとともに、各走査光学系の画像倍率を一致させ色ずれのない高品位な画像を得る光走査装置、カラー記録装置を提供することを目的とする。
【０００８】
【課題を解決するための手段】
本発明は、前記目的を達成するため、以下の構成とした。
（１）．  記録する規格の画像サイズよりも大きいサイズの印刷用紙を用いるとともに、前記画像サイズ内に所望の画像形成を行い、かつ、前記画像サイズを明示する４隅にレジストレーションマークを記録して、画像形成する光走査装置であって、
複数のレーザ光源からそれぞれ出射されたビームを同一の単一の偏向手段を用いて走査し、これら複数のビームの各々に対応した被走査面に結像させるレンズ群を各ビーム毎に設けた複数の走査光学系を備え、これら走査光学系を単一のハウジングに設けてなり、
前記複数の走査光学系中、１つの走査光学系である第一走査光学系について、
前記画像サイズを明示するために記録すべきレジストレーションマークの主走査方向の間隔に略等しい間隔で、走査始端側と走査終端側とにビーム位置を検出する検出器を設け、
上記レジストレーションマークの記録を行なうことなく、
上記検出器の間を走査する走査時間の、初期設定値からの変化量を検出し、
前記第一走査光学系とは異なる第二走査光学系について、
レジストレーションマークを記録可能に構成してなり、
検出された前記走査時間の初期設定値からの変化量に基づいて、レーザ光源を変調する基準周波数を変化させて、前記第二走査光学系により記録されるレジストレーションマークの間隔を補正することとした（請求項１）。
（２）．（１）記載の光走査装置において、前記複数のレーザ光源中、少なくとも１つの走査時間を検出する前記第一走査光学系に対応するレーザ光源に２つの発光源を設け、これら２つの発光源から前記偏向手段に対し主走査方向で異なる入射角度をなしてビームが出射されるように前記２つの発光源を配置するとともに、前記主走査方向で先行して走査するビームについて走査始端側のほか走査終端側でのビーム位置を検出する検出器を設け、走査時間を検出することとした（請求項２）。
（３）．（１）又は（２）記載の光走査装置において、前記走査時間の検出結果と同初期設定値とを比較し、その比に応じて全てのレーザ光源の基準周波数を変更することとした（請求項３）。
（４）．複数の感光体に記録した各色の画像を重ね合わせてカラー画像を形成するカラー記録装置において、
請求項１、２又は３記載の光走査装置を具備していることとした（請求項４）。
【０００９】
【発明の実施の形態】
カラー画像を形成するための光走査装置の構成主要部を示した図１および光走査装置の断面をカラー記録装置の感光体と共に示した図２により、本発明にかかる光走査装置及びカラー記録装置の構成を説明する。
【００１０】
図１、図２に示すハウジング１１５内にフルカラー画像を形成するための４つの色に対応した書き込み用の走査ビームを出射する４つの走査手段が組み込まれている。図２に示すように、ハウジング１１５から出射されたビーム１０２、１２２、１４２、１６２はそれぞれに対応するドラム状をした感光体１０１、１２１、１４１、１６１に達し、該感光体上をそれぞれ走査して静電潜像を形成する。
【００１１】
感光体１０１、１２１、１４１、１６１に形成された静電潜像はそれぞれ、イエロー、マゼンタ、シアン、ブラックのトナーにより可視像化され、タイミングを合わせて送られてくる記録紙上に順次重ね転写されて、該記録紙上にフルカラートナー像が形成される。記録紙上のフルカラートナー像は定着されて排出される。
【００１２】
感光体１０１、１２１、１４１、１６１のまわりには帯電手段、現像手段、転写手段、などが配置され、また、前記転写手段の前後には記録紙の送り手段や定着手段などが配置されて全体としてカラー記録装置が構成されている。以下では、カラー記録装置の中、光走査装置の構成を主に説明する。図１、図２において、感光体１０１上に第１色目（イエロー）の画像１９０を形成するため走査するビーム１０２はレーザ光源１０３より出射されシリンダレンズ１０４、折返しミラー１０５を介してポリゴンミラー１０６の右端（図１では斜め右上側）に近い部分に入射される。
【００１３】
ビーム１０２はポリゴンミラー１０６で走査され左右方向（図１では斜め右上方向）に２段に層状に形成されたｆθレンズ１０７の右段部（図１では斜め右上側）を通り、折返しミラー１０８及び折返しミラー１０９で反射され、トロイダルレンズ１１０、折返しミラー１１１を介して感光体１０１上にスポット状に結像される。
【００１４】
本例では、ポリゴンミラー１０６は、その回転軸方向Ｊ−Ｊが重力方向ｙと直交する方向（水平方向）を向くように設定されている。
【００１５】
感光体１２１上に第２色目（マゼンタ）の画像１９１を形成するため走査するビーム１２２はレーザ光源１２３より出射されシリンダレンズ１２４を介してポリゴンミラー１０６の左端（図１では斜め左下側）に近い部分に入射される。
【００１６】
ビーム１２２はポリゴンミラー１０６で走査されｆθレンズ１０７の左段部（図１では斜め左下側）を通り、折返しミラー１２８、折返しミラー１２９で反射され、トロイダルレンズ１３０、折返しミラー１３１を介して感光体１２１にスポット状に結像される。
【００１７】
図１において、ポリゴンミラー１０６は矢印向きに回転され、各ビーム１０２、１２２は矢印１１２の方向へ走査される。ｆθレンズ１０７の直後には折返しミラー１１３が配置されこの折返しミラー１１３で反射されたビームはセンサー基板１１４にて走査開始側でのビーム位置が各々検出されて、画像書き出しのタイミングをとる同期検知信号を発生する。
【００１８】
ポリゴンミラー１０６を間にして前記第１色目の画像を形成する走査光学系に対向して第３色目（シアン）の画像１９３を形成する走査光学系が設けられている。この第３色目の画像を形成するべく感光体１４１を走査するビーム１４２の走査光学系の経路は第２色目の画像１９１を形成する感光体１２１を走査するビーム１２２の走査光学系に準じ、また、ポリゴンミラー１０６に対して対向する側に配置される第４色目（ブラック）の画像１９４を形成する感光体１６１を走査するビーム１６２の走査光学系の経路は第２色目の画像１９０を形成する感光体１０１を走査するビーム１０２の走査光学系の経路に準ずる。
【００１９】
つまり、第３色目の画像１９３を形成する感光体１４１を走査するビーム１４２はレーザ光源２４より出射されシリンダレンズ２２を介してポリゴンミラー１０６の左端（図１では斜め左側）に近い部分に入射される。
【００２０】
ビーム１４２はポリゴンミラー１０６で走査されｆθレンズ１４７の左段部（図１では斜め左下側）を通り、折返しミラー１６８、折返しミラー１６９で反射され、トロイダルレンズ１７０、折返しミラー１７１を介して感光体１４１にスポット状に結像される。
【００２１】
感光体１６１上に第４色目（ブラック）の画像１９４を形成するを走査するビーム１６２はレーザ光源１６より出射されシリンダレンズ１８、折返しミラー２０を介してポリゴンミラー１０６の右端（図１では斜め右上側）に近い部分に入射される。
【００２２】
ビーム１６２はポリゴンミラー１０６で走査され左右方向（図１では斜め右上方向）に２段に層状に形成されたｆθレンズ１４７の右段部（図１では斜め右上側）を通り、折返しミラー１４８及び折返しミラー１４９で反射され、トロイダルレンズ１５０、折返しミラー１５１を介して感光体１６１上にスポット状に結像される。
【００２３】
第４色目の画像を走査するビーム１６２、第３色目の画像走査するビーム１４２は矢印２の方向へ走査され、同様にｆθレンズ１４７の直後に配置された折返しミラー１４３によりセンサー基板１４４にて走査開始側でのビーム位置を各々検出し、画像書き出しのタイミングをとる。
【００２４】
さらに、第４色目の画像を形成するべく感光体１６１へと向う走査終端側のビーム１６２を折返しミラー１４８の前に配置した折返しミラー１４５で反射しセンサー基板１４６で検出している。
【００２５】
このように、複数のレーザ光源１６、２４、１０３、１２３から出射されるビーム中、第４色目の画像を形成するビーム１６２について、走査終端側でのビーム位置を検出する検出器としてのセンサー基板１４６を設け、走査開始側でのビーム位置を検出する検出器としてのセンサー基板１４４とにより、走査時間を検出することとし、一方、第１色目の画像を形成するビーム１０２によりレジストレーションマークＭ１１７、Ｍ１１６、Ｍ１１７'、Ｍ１１６'を記録するようにした。
【００２６】
こうして、走査時間を検出することによりレジストレーションマーク間隔の補正を目的としたレーザ光源２４から折返しミラー１５１に至る走査光学系と、レジストレーションマークＭ１１７、Ｍ１１６、Ｍ１１７'、Ｍ１１６'を記録することを目的としたレーザ光源１０３から折返しミラー１１１に至る走査光学系を分離することで、走査幅を最小限としポリゴンミラーや結像レンズの大型化を回避でき、小型かつ低コストな光走査装置が提供できる。
【００２７】
例えば、レジストレーションマーク間隔の補正を目的とした走査光学系と、レジストレーションマークを記録することを目的とした走査光学系とを分離しない場合を模式的に表現すると、図３（ａ）のようになる。図３（ａ）では、ビーム１６２によりレジストレーションマークＭ１１７、Ｍ１１６を書かせるとともに、これらレジストレーションマークＭ１１６とレジストレーションマークＭ１１７との間隔を補正するための走査時間を検出するセンサ基板１４４、１４６を設けている。
【００２８】
この場合には、レジストレーションマークＭ１１６、Ｍ１１７の外側にセンサ基板１４４、１４６を配置する構成とせざるを得ないため、ビーム１６２による走査幅はレジストレーションマークＭ１１６、Ｍ１１７の間隔ｎよりも大きいセンサ基板１４４、１４６の間隔Ｎにせざるを得ない。
【００２９】
これに対して、レジストレーションマーク間隔の補正を目的としたレーザ光源２４から折返しミラー１５１に至る走査光学系と、レジストレーションマークを記録することを目的としたレーザ光源１０３から折返しミラー１１１に至る走査光学系とを分離、つまり機能を分離した場合には、図３（ｂ）に示すように、センサ基板１４４、１４６の間隔をレジストレーションマークＭ１１６、Ｍ１１７の間隔ｎに略等しい間隔に縮めることができる。
【００３０】
このため、走査幅を走査可能な最小限の間隔ｎにすることができ、ポリゴンミラーや結像レンズの大型化を回避でき、小型かつ低コストな光走査装置が提供できる。
【００３１】
上記のごとく構成された、レーザ光源１０３から諸光学系を経てポリゴンミラー１０６さらに諸光学系を経て折返しミラー１１１に至る走査光学系、レーザ光源１２３から諸光学系を経てポリゴンミラー１０６さらに諸光学系を経て折返しミラー１３１に至る走査光学系、レーザ光源２４から諸光学系を経てポリゴンミラー１０６さらに諸光学系を経て折返しミラー１７１に至る走査光学系、レーザ光源１６から諸光学系を経てポリゴンミラー１０６さらに諸光学系を経て折返しミラー１５１に至る走査光学系の４つの走査光学系は箱状のハウジング１１５内に一体的に収容され、取付部１１５−１、１１５−２及びこれらと対称に設けられた図示しない取付部の４箇所で当該カラー記録装置の本体構造体に取付られている。
【００３２】
前記の例では、レーザ光源１０３からビーム１０２、レーザ光源１２３からビーム１２２、レーザ光源２４からビーム１４２、レーザ光源１６からビーム１６２というように、各レーザ光源からそれぞれ１本ずつのビームが出射されるかのように説明したが、書き込み時間の短縮を図るべく実際には各レーザ光源からそれぞれ複数本のビームを出射する構成としている。
【００３３】
以下に、単一のレーザ光源から２本のビームが出射されるようにし、これら２本のビームにより隣接したラインを先行ビームと後行ビームとで同時に走査する構成について説明する。図４に単一のレーザ光源から２本のビームが出射されるレーザ光源の構成を示す。
【００３４】
図４において、半導体レーザ５０１、５０２は主走査方向Ｅに所定の間隔を離してベース部材５０３の裏側（図中斜め右側）から圧入されている。これら半導体レーザ５０１、５０２の発光点との配置を調節しビームを平行光束とするカップリングレンズ５０４、５０５がベース部材５０３に設けられたＵ状取付部５１０に接着保持されている。
【００３５】
ベース部材５０３はホルダ部材５０６の裏側に重ねた状態でねじ５０８、５０８'により一体的に固定される。ここで、ホルダ部材５０６の裏側（図中斜め右側）には円柱状の支持部材５０６−１、５０６−１'が直立している。
【００３６】
これらの支持部材５０６−１、５０６−１'の先端部にはねじ穴が形成されており、これらの支持部材５０６−１、５０６−１'の先端部を駆動基板５０７に突き当てた状態で駆動基板５０７の裏側からねじ５０８−１、５０８−１'により、ホルダ部材５０６は駆動基板５０７に固定されている。駆動基板５０７は画像データに応じて半導体レーザ５０１、５０２を変調する機能を有する。
【００３７】
支持部材５０６−１、５０６−１'はベース部材５０３と駆動基板５０７との間隔を保持し、半導体レーザ５０１、５０２の導線部が駆動基板５０７に接触するのを防止している。
【００３８】
このように一体的に構成されたレーザ光源は、ホルダ部材５０６の中央部に突出状に形成された円筒状の出射口５０６ａを、ハウジング１１５に形成された嵌合穴５０９に嵌合させた状態で、ねじ５１２、５１４で締め付け、ハウジング１１５と一体的に固定する。
【００３９】
前記した図１、図２におけるレーザ光源１０３、１２３、２４、１６は、図４に示した構成のレーザ光源で構成されている。
【００４０】
このようにそれぞれ２つの光源を有する各レーザ光源からは、先行して走査するビームと後行して走査するビームの２本のビームが互いに交差する角度で出射され感光体上においても主走査方向に所定の間隔Ｌをもって同時に走査される。
【００４１】
このように、各レーザ光源において、２つの発光源から前記偏向手段としての折返しミラーやポリゴンミラーに対し主走査方向で異なる入射角度をなしてビームが出射されるように２つの発光源（半導体レーザ５０１、５０２）を配置する。
【００４２】
特に、第４色目の画像を走査するために設けられたレーザ光源１６に代えて設けられた２ビーム出射用のレーザ光源から出射される２つのビームについては、先行ビームについて、走査開始側でのビーム位置を検出するセンサー基板１４４と、走査終端側のビーム位置を検出するセンサー基板１４６により走査時間を検出すれば、後行のビームについては先行ビームの走査時間に準じて書き込みの諸制御を行なえばよいので、後行ビームについて専用のセンサー基板を設ける必要はないし、また先行ビームのセンサ基板を利用することとし後行ビームを先行ビームの走査範囲まで走査する必要もない。
【００４３】
仮に、後行ビームの走査範囲についてもセンサー基板１４４、１４６間の範囲にした場合には、走査光学系を構成するポリゴンミラーやレンズの有効径を大きくしなければならないが、先行ビームにつて走査始端側、走査終端側でのビーム位置を検出する検出器を設けておけば、後行ビームについて検知する必要はないので、後行ビームのために走査終端側の走査幅を広げずに済むのでポリゴンミラーの反射面幅を縮小でき大型化を回避でき、小型かつ低コストな光走査装置が提供できる。
【００４４】
例えば、図５において先行ビーム１６２ａの走査範囲をセンサー基板１４６の位置までとすると、後行ビーム１６２ｂについて走査時間を検知する場合には、後行ビーム１６２ｂの走査範囲をセンサー基板１４６の位置まで広げなければならず、ポリゴンミラーの反射面幅を大きくしなければならないが、先行ビームについて検出することでその必要ななくなる。なお、この場合のセンサー基板１４６の具体的な位置は後行ビーム１６２ｂの走査位置及びレジストレーションマークＭ１１６の位置などを考慮して定めるものとする。
【００４５】
本例では第１色目の画像１９０にのみ印画領域を明示するレジストレーションマークＭ１１６、Ｍ１１７を書かせるが、一般にレジストレーションマークは印画サイズに常に等しく維持しなければならない。しかし、実際には、環境温度の変化により走査光学系を構成する折り返しミラー、レンズ、ポリゴンミラーなどが熱膨張、熱収縮する関係で屈折率が変化し印画領域幅が変化してしまう。
【００４６】
そこで、印画領域幅を一定にするため、走査領域を補正する必要がある。以下、その補正制御方法について説明する。
図１においてレーザ光源１０３については駆動基板１１９、レーザ光源１２３については駆動基板１３９、レーザ光源２４については駆動基板１５９、レーザ光源１６については駆動基板１７９がそれぞれ設けられていて、これらの駆動基板１１９、１３９、１５９、１７９は、画像データに応じてそれぞれの半導体レーザを変調する機能を有する。
【００４７】
駆動基板１１９、１３９、１５９、１７９各々の変調周波数ｆ１、ｆ２、ｆ３ｆ４は図示しない書込制御部から画像データと共に供給されるが、第４色目におけるレーザ光源２４から射出される２本のビームの中、先行して走査するビームを用いて走査開始側で検出した信号と走査終端側で検出した信号との時間間隔ｔ'を初期設定値ｔ0と比較し、その比例倍分だけ全てのレーザ光源を変調する基準周波数ｆ'を各々の初期設定値ｆに対して可変としている。
【００４８】
例えば、走査開始側で検出した信号と走査終端側で検出した信号との時間間隔が初期設定値よりも短くなったらレジストレーションマークの間隔よりも印画領域が大きくなるので、その分だけ変調周波数を下げることで１ドット当たりの発光時間を延ばし、レジストレーションマークの間隔に合致した印画領域を実現するよう制御する。
【００４９】
どの走査光学系も、経時、特に環境変化による波長変化やレンズ曲率の膨張、屈折率変動に応じて一様に倍率が変化する。そのため実施例では代表となる第４色目の走査光学系の倍率変化ΔＺ４のみを検出しそれを第１色目を含む全ての走査光学系の倍率変化ΔＺに適用することで部品点数を削減し制御を簡素化している。
【００５０】
ここで、Ｚ'…変化後の走査距離、Ｚ0…初期設定時の走査距離、ｔ'…変化後の信号の時間間隔、ｔ0…初期設定時の信号の時間間隔、ｆ0…初期設定時の変調周波数、ｆ'…変化後の変調周波数、とすると、任意の走査光学系における倍率変化ΔＺは、次の式で表現できる。
【００５１】
ΔＺ＝Ｚ'／Ｚ0（ｍｍ）＝ｔ0／ｔ'（ｓｅｃ）＝ｆ0（ｍｍ）／ｆ'（Ｈｚ）
そこで、第４色目の走査光学系の倍率変化ΔＺ４のみを検出し、上式を適用して、他の走査光学系について印画領域が一定となるように制御する。
【００５２】
なお、実施例ではレーザ光源の変調周波数を可変するようにしたが、ポリゴンモータに供給する走査周波数を制御しポリゴンミラーの回転数を可変しても効果は同様である。また、実施例ではレーザ光源として２ビームのレーザ光源を用いたが、１ビームまたは２ビーム以上の複数ビームのレーザ光源を用いても同様である。
【００５３】
以上に説明したように各色毎に、印画領域を合わせて走査することにより、色ずれのないカラー画像を得ることができる。また、走査装置を小型化できることにより、カラー画像記録装置全体としてもコンパクト化することができる。
【００５４】
請求項１記載の発明では、走査幅を走査可能な最小限の間隔とすることができ、ポリゴンミラーや結像レンズの大型化を回避でき、小型かつ低コストな光走査装置を提供できる。
【００５６】
請求項２記載の発明では、複数のレーザ光源中の少なくとも１つに２つの発光源を具備し前記偏向器に対して主走査方向での入射角度が異なるようビームを射出するとともに、その主走査方向で先に走査するビームについて走査終端側でのビーム位置を検出する検出器を設け、走査時間を検出したことにより、後に走査するビームのために走査終端側の走査幅を広げずに済むのでポリゴンミラーの反射面幅を縮小でき大型化を回避でき、小型かつ低コストな光走査装置が提供できる。
【００５７】
請求項３記載の発明では、走査時間の検出結果と同初期設定値とを比較し、その比応じて全てのレーザ光源の基準周波数を可変したことにより、経時的な画像倍率の変動に対する補正制御を簡略化でき低コストかつ高品位な画像記録を実現できる光走査装置が提供できる。
【００５９】
請求項４記載の発明では、色ずれのない高品位なカラー画像を記録することのできるコンパクトなカラー記録装置を提供することができる。
【図面の簡単な説明】
【図１】本発明にかかる光走査装置の構成主要部を示した斜視図である。
【図２】光走査装置の断面をカラー記録装置の感光体と共に示した図である。
【図３】図３（ａ）は走査時間を検出するためのビームとレジストレーションマークを書くためのビームを共通にした場合の走査領域、図３（ｂ）は上記両ビームを分離した場合の走査領域をそれぞれ模式的に説明した図である。
【図４】２つの発光源を有するレーザ光源の分解斜視図である。
【図５】先行するビームと後行するビームの関係を説明した図である。
【図６】レジストレーションマーク及び画像サイズの関係を例示した図である。
【符号の説明】
１６，１０３  レーザ光源
１８、１０４  シリンダレンズ
２０、１０５、１０８、１０９、１１１、１４８、１４９、１５１  折返しミラー
１０６  ポリゴンミラー
１０７、１４７  ｆθレンズ
１１０、１５０  トロイダルレンズ
１４４、１４６  （ビーム位置を検出する検出器としての）センサ基板
【図１】
0004500385.tif 000002
【図２】
0004500385.tif 000003
【図３】
0004500385.tif 000004
【図４】
0004500385.tif 000005
【図５】
0004500385.tif 000006
【図６】
0004500385.tif 000007